(57)【要約】【課題】機体の大型化を招くことなく、原稿給紙装置等の開閉体の円滑な開閉動作を実現する。【解決手段】媒体に記録を行う記録手段を備える記録装置１であって、該記録装置１は、本体１０と、該本体１０の上部に配置され、本体１０に対して回動する開閉体２０と、開閉体２０の回動支点となるヒンジ機構３０と、を備えている。ヒンジ機構３０は、筐体に設けられる第１ヒンジ部３１、および該第１ヒンジ部３１と開閉体２０との間に配置される第２ヒンジ部３２を有し、開閉体２０は、第１ヒンジ部３１により所定の角度回動後、第２ヒンジ部３２により所定の角度回動可能である。【選択図】図１４
2018158456.tif 000002
【特許請求の範囲】
【請求項１】
媒体に記録を行う記録手段を備える記録装置であって、
前記記録装置は、
本体と、該本体の上部に配置され、前記本体に対して回動する開閉体と、
前記開閉体の回動支点となるヒンジ機構と、
を備えており、
前記ヒンジ機構は、筐体に設けられる第１ヒンジ部、および該第１ヒンジ部と前記開閉体との間に配置される第２ヒンジ部を有し、
前記開閉体は、前記第１ヒンジ部により所定の角度回動後、前記第２ヒンジ部により所定の角度回動可能であることを特徴とする記録装置。
【請求項２】
前記記録装置は、原稿の読み取りが行われる原稿台を前記本体の上面に備えており、
前記開閉体が、前記原稿台に原稿を給紙する原稿給紙装置であり、
前記原稿給紙装置は、当該原稿給紙装置を前記本体に対して位置決めする位置決め部を有していることを特徴とする、請求項１に記載の記録装置。
【請求項３】
前記位置決め部は、前記原稿給紙装置を駆動するための動力を前記本体から伝達する連結部であることを特徴とする、請求項２に記載の記録装置。
【請求項４】
前記原稿給紙装置の動力と、前記本体の前記原稿台の動力とが同一の動力源から供給されることを特徴とする、請求項３に記載の記録装置。
【請求項５】
前記ヒンジ機構と前記位置決め部とが同じ高さに配置されていることを特徴とする、請求項２から４のいずれか一項に記載の記録装置。
【請求項６】
前記記録装置の後部には、媒体を給紙する給紙トレイが設けられ、
前記ヒンジ機構は、前記給紙トレイより装置前方に設けられることを特徴とする請求項５に記載の記録装置。
【請求項７】
前記第１ヒンジ部は下方に延出する延出部を有し、前記本体には前記延出部の可動範囲を規制するロック機構が設けられている、請求項１から６のいずれか一項に記載の記録装置。
【請求項８】
前記第２ヒンジ部が、前記第１ヒンジ部に対して着脱可能な構成であることを特徴とする、請求項１から７のいずれか一項に記載の記録装置。
【請求項９】
前記第１ヒンジ部には前記第２ヒンジ部の装着時に係止する係止部が設けられていることを特徴とする請求項８に記載の記録装置。
【請求項１０】
前記第１ヒンジ部には、前記第２ヒンジの回動の際に荷重を受ける受け部が設けられていることを特徴とする請求項１から請求項８のいずれか一項に記載の記録装置。
【発明の詳細な説明】
【技術分野】
【０００１】
本発明は、記録装置に関する。
【背景技術】
【０００２】
画像読み取り装置や、画像読み取り機能付きのプリンター（これら画像読み取り装置やプリンターのように、紙や記録媒体等の各種媒体に記録を行う記録手段を備える装置を、本明細書では単に「記録装置」ともいう）に関する種々の製品や技術が提案されている（特許文献１参照）。
【０００３】
例えば図２３に示す複合型のプリンター１０００はこのような製品の一つであり、プリンター本体１００１の他、ＦＢ（フラットベッド）スキャナー１００２、ＡＤＦ（オートドキュメントフィーダー（原稿給紙装置））１００３、Ｒ−ＡＳＦ（リア・オートシートフィーダー）１００４を備えている。ＡＤＦ１００３は、ＡＤＦヒンジ１００５を中心に開閉可能な開閉体として設けられている（図２４参照）。符号１００６はＡＤＦ１００３とスキャナー１００２の動力を繋げる連結部であり、プリンター本体１００１の前側に配置されており、ＡＤＦ１００３を開閉する際に挿抜される。このような連結部１００６を備えるプリンター１０００において当該連結部１００６のスムーズな挿抜を実現する有効な手段の一つは、開閉動作の中心となるＡＤＦヒンジ１００５の位置を連結部１００６の高さに揃えることである（図２４参照）。
【先行技術文献】
【特許文献】
【０００４】
【特許文献１】特開２０１４−２３６２６６号公報
【発明の概要】
【発明が解決しようとする課題】
【０００５】
しかし、上述のごとき構成とすると、ＡＤＦ１００３を開状態とする際、当該ＡＤＦ１００３が後方下部へ移動することになるため、この部分にあるＲ−ＡＳＦ１００４と干渉する場合がある（図２４参照）。このような干渉を回避するには、Ｒ−ＡＳＦ１００４を後部に拡大した構造としたり（図２５参照）、開状態のＡＤＦ１００３がＲ−ＡＳＦ１００４と干渉しない領域まで当該ＡＤＦ１００３を高く設置したり（図２６参照）、といった手段を講じ得るが、そうすると機体の大型化が免れない。
【０００６】
そこで、本発明は、機体の大型化を招くことなく、原稿給紙装置等の開閉体の円滑な開閉動作を実現しうる記録装置を提供することを目的とする。
【課題を解決するための手段】
【０００７】
本発明の一態様に係る装置は、媒体に記録を行う記録手段を備える記録装置であって、
記録装置は、
本体と、該本体の上部に配置され、本体に対して回動する開閉体と、
開閉体の回動支点となるヒンジ機構と、
を備えており、
ヒンジ機構は、筐体に設けられる第１ヒンジ部、および該第１ヒンジ部と開閉体との間に配置される第２ヒンジ部を有し、
開閉体は、第１ヒンジ部により所定の角度回動後、第２ヒンジ部により所定の角度回動可能であることを特徴とする記録装置である。
【０００８】
この態様によれば、機体の大型化を招かずに、本体後方の装置等と干渉することなく開閉体を開閉することが可能となる。
【０００９】
上記態様において、記録装置は、原稿の読み取りが行われる原稿台を本体の上面に備えており、開閉体が、原稿台に原稿を給紙する原稿給紙装置であり、原稿給紙装置は、当該原稿給紙装置を本体に対して位置決めする位置決め部を有していてもよい。
【００１０】
この態様によれば、本体後方の装置等と干渉することなく原稿給紙装置を開閉することが可能となる。また、ヒンジ機構と位置決め部の高さを揃えた構成とすることで、位置決め部のスムーズな係脱を実現することができる。
【００１１】
上記態様の記録装置において、位置決め部は、原稿給紙装置を駆動するための動力を本体から伝達する連結部であってもよい。この態様によれば、本体後方の装置等と干渉することなく原稿給紙装置を開閉することが可能となり、また、ヒンジ機構と位置決め部の高さを揃えた構成とすることで、位置決め部のスムーズな係脱ないしは挿抜を実現することができる。
【００１２】
上記態様の記録装置において、原稿給紙装置の動力と、本体の原稿台の動力とが同一の動力源から供給されてもよい。この態様によれば、動力源を共通化することができる。
【００１３】
上記態様の記録装置において、ヒンジ機構と位置決め部とが同じ高さに配置されていることが好ましい。ヒンジ機構と位置決め部の高さを揃えた構成とすることで、位置決め部のスムーズな係脱ないしは挿抜を実現することができる。
【００１４】
上記態様の記録装置において、記録装置の後部には、媒体を給紙する給紙トレイが設けられ、ヒンジ機構は、給紙トレイより装置前方に設けられていてもよい。この態様によれば記録装置の高さを抑え、開閉体と給紙トレイとの接触を防止できる。
【００１５】
上記態様の記録装置において、第１ヒンジ部は下方に延出する延出部を有し、本体には延出部の可動範囲を規制するロック機構が設けられていてもよい。この態様によれば、第１ヒンジ部の可動範囲をロック機構で規制することができる。
【００１６】
上記態様の記録装置において、第２ヒンジ部が、第１ヒンジ部に対して着脱可能な構成であってもよい。この態様によれば、記録装置の本体に対して開閉体を着脱することができる。
【００１７】
上記態様の記録装置において、第１ヒンジ部には第２ヒンジ部の装着時に係止する係止部が設けられていてもよい。これにより、第１ヒンジ部から第２ヒンジ部が簡単に抜けない構成とできる。
【００１８】
上記態様の記録装置において、第１ヒンジ部には、第２ヒンジの回動の際に荷重を受ける受け部が設けられていてもよい。これにより、所定の角度に規制するとともに過度の力が加わっても緩和できる。
【図面の簡単な説明】
【００１９】
【図１】本発明の第１実施形態における記録装置の全体を示す斜視図である。
【図２】ＡＤＦを開いた状態の記録装置の斜視図である。
【図３】記録装置のスキャナー側連結部とのその周辺を示す斜視図である。
【図４】記録装置のＡＤＦ側連結部とのその周辺を示す斜視図である。
【図５】スキャナーの内部構造を示す平面図である。
【図６】ＳＣＮ用輪列、ＡＤＦ用輪列等の構成を拡大して示す平面図である。
【図７】記録装置の平面図である。
【図８】図７のVIII-VIII線における断面のうち連結部やＡＤＦ側の輪列の周辺の構造を示す図である。
【図９】ＡＤＦが閉じた状態の記録装置の側面図である。
【図１０】ＡＤＦを開く途中における記録装置の側面図である。
【図１１】ＡＤＦを開いた状態の記録装置の側面図である。
【図１２】ヒンジ機構を拡大して示す図である。
【図１３】第１ヒンジ部の延出部がロック機構のストッパーに当接した状態を示す図である。
【図１４】図１３に示す状態からＡＤＦをさらに開いた時のヒンジ機構の状態を示す図である。
【図１５】ＡＤＦを取り外した状態の記録装置の本体を示す斜視図である。
【図１６】ＡＤＦを取り外した状態で第１ヒンジ部と第２ヒンジ部を拡大して示す斜視図である。
【図１７】ロック機構の構成例を示す裏面側からみた斜視図である。
【図１８】ロック機構の構成例を示す裏面側からみた斜視図であって、延出部がストッパーに当接した状態を示す図である。
【図１９】第１ヒンジ部および第２ヒンジ部の構成例を示す図である。
【図２０】図１９のXX-XX線における断面構造を示す図である。
【図２１】本発明を適用した記録装置の概略を示す側面図である。
【図２２】ＡＤＦを開いた状態でのヒンジ機構周辺を概略的に示す側面図である。
【図２３】従来型の記録装置の構成例を概略的に示す側面図である。
【図２４】ＡＤＦを開いたときの従来型の記録装置を概略的に示す側面図である。
【図２５】Ｒ−ＡＳＦを後部に拡大した構造の記録装置を参考として示す図である。
【図２６】開状態のＡＤＦがＲ−ＡＳＦと干渉しない領域まで高く設置した記録装置を参考として示す図である。
【発明を実施するための形態】
【００２０】
添付図面を参照して、本発明の好適な実施形態について説明する。なお、各図において、同一の符号を付したものは、同一又は同様の構成を有する。
【００２１】
［第１実施形態］
本実施形態の記録装置１は、開閉可能な原稿給紙装置（以下、ＡＤＦともいう）２０を搭載した複合機である（図１参照）。この記録装置１はスキャナー機能付きプリンターで構成されており、本体１０、ＡＤＦ２０…原稿給紙装置（開閉体）、ヒンジ機構３０、連結部４２、Ｒ−ＡＳＦ６０等を備えている。以下では、まず記録装置１の概要について説明し、その後、スキャナーの内部構造、連結部４２の構造、ヒンジ機構３０の構造について詳しく説明する。
【００２２】
本体１０は、筐体１４と、該筐体１４に内蔵される、紙媒体への印刷装置ならびにスキャナー装置からなる記録手段１６とを含む（図１、図２参照）。本体１０の上部には、スキャナー装置の原稿台であるフラットベッドスキャナー１２が形成されている。
【００２３】
ＡＤＦ２０は本体１０の上部に配置された原稿給紙装置である。本実施形態のＡＤＦ２０は、ヒンジ機構３０により本体１０に対して回動可能に保持されている（図２等参照）。
【００２４】
ヒンジ機構３０は、ＡＤＦ２０を開閉可能に保持する機構である。本実施形態のヒンジ機構３０は、本体の１０の奥側（ユーザー用の操作パネル１９等がある手前側とは逆側）に左右一対設けられている（図５等参照）。
【００２５】
連結部４２は、本体１０のスキャナー装置の動力をＡＤＦ２０に伝達し、スキャナー装置と同一の動力源（例えばモーター）でＡＤＦ２０を駆動する装置である。本実施形態の連結部４２は、フラットベッドスキャナー１２に設けられたスキャナー側連結部（出力部）４２ａと、ＡＤＦ２０に設けられたＡＤＦ側連結部（入力部）４２ｂとからなる（図３、図４等参照）。ＡＤＦ側連結部４２ｂは、ＡＤＦ２０を閉状態としたときのみスキャナー側連結部４２ａと連結した状態となる（図８等参照）。
【００２６】
Ｒ−ＡＳＦは、本体１０の背部に設けられた給紙機構（リア給紙機構）であり、補給された紙をプリンターへ供給する（図７等参照）。
【００２７】
＜スキャナーの内部構造＞
画像を読み取るCISM（画像読取センサー）７１がスキャナーキャリッジ（ＣＲ）７２に保持されている（図５参照）。このスキャナーキャリッジ７２には、モーター（動力源）７３、ＳＣＮ（スキャナー）用輪列７４が取り付けられており、フラットベッド読取（フラットベッドスキャナー１２における原稿の読取時）にはＳＣＮ用ラック７５に動力が伝達され、スキャナーキャリッジ７２がガイドレール７６に沿って動き、原稿を読み取る。
【００２８】
また、フラットベッドスキャナー１２には、ＳＣＮ用輪列７４の動力を連結部４２へ伝達するＡＤＦ用輪列７７が設置されている。ＡＤＦ２０を用いた読取時には、これらＡＤＦ用輪列７７にＳＣＮ用輪列７４が噛み合い、連結部４２へ動力を伝達する（図６参照）。
【００２９】
＜連結部＞
連結部４２は、出力部となる駆動側のスキャナー側連結部４２ａと、入力部となる従動側のＡＤＦ側連結部４２ｂとで構成される。スキャナー側連結部４２ａは、例えば内歯歯車で構成されており、ＡＤＦ用輪列７７から伝達された動力によって回転する。ＡＤＦ側連結部４２ｂは、スキャナー側連結部４２ａと噛み合う例えば外歯歯車で構成されており、ＡＤＦ２０に動力を伝達する（図８等参照）。
【００３０】
また、ＡＤＦ側連結部４２ｂを構成する外歯歯車は、ＡＤＦ２０を閉じたときにスキャナー側連結部４２ａまで届くように、本体１０側へ向けてＡＤＦ２０から突出している。ＡＤＦ側連結部４２ｂの周囲には筒状のカバー４２ｃが設けられている（図４等参照）。一方、スキャナー側連結部４２ａの周囲には、長孔４２ｄが設けられる等により、ＡＤＦ２０の開閉動作の途中で筒状のカバー４２ｃが本体１０に当接することを回避している。
【００３１】
ＡＤＦ側連結部４２ｂは、ＡＤＦ２０内の輪列２２に動力を伝達する（図８参照）。輪列２２が回転することにより、ＡＤＦ２０が原稿送り等の動作をする。
【００３２】
＜ヒンジ機構＞
ヒンジ機構３０は、第１ヒンジ部３１、および該第１ヒンジ部３１とＡＤＦ２０との間に配置される第２ヒンジ部３２を有する。本実施形態では、以下のごとき構造の第１ヒンジ部３１と第２ヒンジ部３２を採用している（図１２等参照）。
【００３３】
第１ヒンジ部３１は、フラットベッドスキャナー１２に対して回動軸３１Ｃを中心に前後方向に回動可能に設けられる部材によって構成される。また、第１ヒンジ部３１は、第２ヒンジ部３２が着脱可能な構造とされている。例えば本実施形態の第１ヒンジ部３１は、中空型の略矩形の樹脂製部材で構成されており（図１５等参照）、上方から第２ヒンジ部３２の一部（アーム部３２ａ）を当該中空部分へ挿し込み、あるいは引き抜くことが可能となっている（図１６、図１９、図２０等参照）。これにより、記録装置１の本体１０に対してＡＤＦ２０を着脱することが可能である。尚、第１ヒンジ部３１には、第２ヒンジ部３２を装着の際に係止する係止部３１Ｂが形成されている。これにより、第１ヒンジ部３１から第２ヒンジ部３２が簡単に抜けないようにすることができる。同様の係止部が第２ヒンジ部３２に設けられていてもよい。
【００３４】
第１ヒンジ部３１には、下方に向かって延出する延出部３１Ａが設けられている。また、フラットベッドスキャナー１２の、第１ヒンジ部３１が回動軸３１Ｃを軸中心として後方に所定量回動したところでこの延出部３１Ａが当接する位置には、ストッパー５４が設けられている（図１２、図１３参照）。これら延出部３１Ａとストッパー５４により、第１ヒンジ部３１の可動範囲を規制するロック機構５０が構成されている（図１７、図１８参照）。例えば本実施形態では、ロック機構５０により、第１ヒンジ部３１の後方への可動範囲を１０°程度としている。
【００３５】
第２ヒンジ部３２は、第１ヒンジ部３１の中空部に対して挿抜される部分（アーム部３２ａ）が、ＡＤＦ２０の背面側にピン結合されて相対的に回動可能とされたヒンジ構造からなる（図１４等参照）。また、第１ヒンジ部３１には、第２ヒンジ部３２が回動の際に受ける受け部３１Ｄが形成されている。
【００３６】
＜ＡＤＦ開閉動作＞
ＡＤＦ２０の開閉動作について説明する（図９〜図１４参照）。閉状態（図９、図１２参照）からＡＤＦ２０を開く際、まずは第１ヒンジ部３１が後方へ回動する。ＡＤＦ側連結部４２ｂが本体１０から抜け切る角度（本実施形態の場合、約１０°）までＡＤＦ２０を開いたところで延出部３１Ａがストッパー５４に当接し（図１０、図１３参照）、第１ヒンジ部３１の回動動作がそこで規制されてロックされる。その後は第２ヒンジ部３２が回動することにより、ＡＤＦ２０を所定の状態（例えば１００°程度まで回動した状態）まで開くことができる（図１１、図１４参照）。
【００３７】
なお、第１ヒンジ部３１の回動可能角度は、本体１０のスキャナー側連結部４２ａに対してＡＤＦ側連結部４２ｂを円滑に挿抜しうる角度に設定されていれば、特に限定されることはない。具体例を挙げれば、第１ヒンジ部３１の回動可能角度は例えば５〜１０°程度に設定されていればよい。
【００３８】
一方、図１１、図１４に示す状態からＡＤＦ２０を閉める際は、まず第２ヒンジ部３２が回動し、所定量まで閉めた後は、ＡＤＦ２０の自重によって、ストッパー５４がロック機構５０でロックされた状態が解除され、第１ヒンジ部３１が前方へ回動する（図９〜図１４参照）。
【００３９】
記録装置１においてフラットベッド読取を行う等の際には、ＡＤＦ２０を開閉する必要が生じるが、本実施形態では上記のごとき、２つのヒンジ部を有するヒンジ機構３０を採用することにより、Ｒ−ＡＳＦとの干渉を回避しつつＡＤＦ２０を開閉することができる（図２１、図２２等参照）。しかも、干渉を回避するにあたり、Ｒ−ＡＳＦ６０を後部に拡大した構造としたり、ＡＤＦ２０が開状態でＲ−ＡＳＦ６０と干渉しない領域まで本体１０を高くして設置したりといった手段を講じなくて済むため、機体の大型化を招くことがない。
【００４０】
しかも、本実施形態ではヒンジ機構３０と連結部４２の高さを揃えた構造としていることから（図１０等参照）、ヒンジ機構３０を中心にＡＤＦ２０を開閉した際、スキャナー側連結部４２ａとＡＤＦ側連結部４２ｂとをスムーズに係脱ないしは挿抜させやすい（図２２等参照）。
【００４１】
なお、以上説明した実施形態は、本発明の理解を容易にするためのものであり、本発明を限定して解釈するためのものではない。実施形態が備える各要素並びにその配置、材料、条件、形状およびサイズ等は、例示したものに限定されるわけではなく適宜変更することができる。また、異なる実施形態で示した構成同士を部分的に置換し又は組み合わせることが可能である。
【００４２】
例えば、上記の実施形態ではＡＤＦ２０を搭載した複合機（スキャナー機能付きプリンター）に本発明を適用した例を説明したが、これは、媒体に記録を行う記録手段を備える記録装置１の好適な一例にすぎない。この他にも、コピー機、ＦＡＸ、あるいは読み取った情報を記録媒体に記録するスキャナーといった種々の記録装置に対して本発明を適用することが可能である。
【００４３】
［第２実施形態］
上記の実施形態ではＡＤＦ２０と本体１０に連結部４２が設けられた記録装置１を例に説明したが、連結部４２の代わりに、あるいは連結部４２とともに、位置決め用突起などからなる位置決め部が設けられた記録装置１に本発明を適用することもできる。この場合、ヒンジ機構３０と位置決め部の高さを揃えた構成とすることで、位置決め部のスムーズな係脱ないしは挿抜を実現することができる。
【００４４】
［第３実施形態］
上記の第１実施形態においてはＡＤＦ２０が開閉する構造の記録装置１について説明したが、開閉体がＡＤＦ２０以外のものであってもよい。特に図示はしないが、開閉体が例えばカバー等である記録装置１に対しても上記のごときヒンジ機構３０を適用することができる。
【００４５】
［第４実施形態］
記録装置１の本体１０の上部が支点を中心に開閉可能でありメンテナンス等の作業時に開閉できる構造である等、筐体の一部が開閉体である場合、当該開閉体の支点に上記のごときヒンジ機構３０を適用することもできる。
【産業上の利用可能性】
【００４６】
本発明は、媒体に記録を行う記録手段を備える記録装置に適用して好適である。
【符号の説明】
【００４７】
１…記録装置、１０…本体、１２…フラットベッドスキャナー（原稿台）、１４…筐体、１６…記録手段、１９…操作パネル、２０…ＡＤＦ：原稿給紙装置（開閉体）、２２…輪列、３０…ヒンジ機構、３１…第１ヒンジ部、３１Ａ…（第１ヒンジ部の）延出部、３１Ｂ…係止部、３１Ｃ…回動軸、３１Ｄ…受け部、３２…第２ヒンジ部、３２ａ…アーム部、４２…連結部、４２ａ…スキャナー側連結部（出力部）、４２ｂ…ＡＤＦ側連結部（入力部）、４２ｃ…カバー、４２ｄ…長孔、５０…ロック機構、５４…ストッパー、６０…Ｒ−ＡＳＦ（リア給紙機構）、７１…CISM（画像読取センサー）、７２…スキャナーキャリッジ、７３…モーター（動力源）、７４…ＳＣＮ用輪列、７５…ＳＣＮ用ラック、７６…ガイドレール、７７…ＡＤＦ用輪列
【図１】
2018158456.tif 000003
【図２】
2018158456.tif 000004
【図３】
2018158456.tif 000005
【図４】
2018158456.tif 000006
【図５】
2018158456.tif 000007
【図６】
2018158456.tif 000008
【図７】
2018158456.tif 000009
【図８】
2018158456.tif 000010
【図９】
2018158456.tif 000011
【図１０】
2018158456.tif 000012
【図１１】
2018158456.tif 000013
【図１２】
2018158456.tif 000014
【図１３】
2018158456.tif 000015
【図１４】
2018158456.tif 000016
【図１５】
2018158456.tif 000017
【図１６】
2018158456.tif 000018
【図１７】
2018158456.tif 000019
【図１８】
2018158456.tif 000020
【図１９】
2018158456.tif 000021
【図２０】
2018158456.tif 000022
【図２１】
2018158456.tif 000023
【図２２】
2018158456.tif 000024
【図２３】
2018158456.tif 000025
【図２４】
2018158456.tif 000026
【図２５】
2018158456.tif 000027
【図２６】
2018158456.tif 000028